Podtech/llm-jp-corpus-v4-ja_patent huggingface dataset:
(57)【特許請求の範囲】
【請求項１】
表示板(5)と支持体(6)を有し、
該表示板(5)はその板面が標識用面(51)となっており、
該支持体(6)は板材を山形に屈曲したもので該表示板(5)を吊支するための吊支部(52)と、該吊支部(52)を、該表示板(5)を設置面(G)上に浮上させて支持する支板部(53)とを備えており、
該支板部(53)に標識形透視穴(54)が開けられている
ことを特徴とする着雪防止型道路交通標識具。
【請求項２】
該表示板 (5) は一枚板から成り、吊支具(4)を用いて該吊支部(52)に吊支されている請求項１に記載の着雪防止型道路交通標識具。
【発明の詳細な説明】
【技術分野】
【０００１】
本発明は主に積雪地域で降雪時における交通規制時等に道路上に立設し、直立性及び自然風力による着雪抑制機能を有した着雪防止型道路交通標識具に関する。
【背景技術】
【０００２】
従来、車両の車線を誘導する山形矢印板は、実用新案登録第３１３８３５２号公報に示される型式のものが、四季を通して使用されている。
【特許文献１】実用新案登録第３１３８３５２号公報
【発明の開示】
【発明が解決しようとする課題】
【０００３】
上記のように、山形矢印板は、相対する板体が下部で拡がっているので、道路上に立設した場合、表示面に雨雪を受けるようになる。雨の場合はともかく、特に水分を多く含んだ重積雪地域においては、表示面が軽度のテーパー面を呈していても、降雪による着雪が発生している状況であった。
このように、山形矢印板の表示面に着雪が生じると、車両運転者の表示内容に対する視認性が低下し、車線の円滑な誘導に支障が出る。このような事態を防止するため、交通規制監視員が定期的に点検すると共に、人為的に表示面上の着雪を除雪しているところであるが、降雪による車両運転者の視認性が低下している車道上での作業となり、安全性に対する配慮が必要であるうえに、その除雪に係るコストも看過できないものである。
本発明はこうした事情を改善するべく創案されたものであり、簡単な構造で、静かに舞い降りる雪に対しては表示面との出合いをなくし、風雪となって表示面に当たった場合はその自然の風力を利用することで着雪を防止し、視認性且つ安全性の向上のはかれる着雪防止型道路交通標識具を提供することを目的とする。
【課題を解決するための手段】
【０００４】
（請求項１）本発明に係る着雪防止型道路交通標識具は、表示板と支持体を有している。該表示板はその板面が標識用面となっている。該支持体は板材を山形に屈曲したものであり、該支持体の屈曲内部に該表示板を吊支するための吊支部を備えている。該表示板を設置面上に浮上させて支持する支板部を備えている。該支板部には、該標識形透視穴が開けられている。
こうすると、支持体の構成が簡単となり、積み重ねれば収納場所をとらず、表示板面に直接雪が降雪することはなくなり、運転者は支板部の標識形透視穴を通して標識用面を見ることで、透視穴の輪郭が表示する標識を明確に視認できる。
【０００５】
（請求項２）該表示板は一枚板から成っており、吊り下げ具を用いて吊支部から吊り下げられている。
こうすると、板面に対する雪の付着がしにくく、板に付着しても簡単に剥落させられる。
この表示板は、風力による揺動を受けやすい軽量タイプのものが望ましい。又、該表示板の上両端部を該吊支部に吊り下げれば、風による板面と平行方向への大幅な揺動を防止できる。
尚、該表示板は、夜間における視認性向上のため高輝度タイプの塗料等で塗装されてもよい。
【０００６】
該表示板は下部に揺動範囲の規制部材が係止され、該規制部材は該表示板の両面から延びて端部が該支持体に係止されていると、該表示板が風力によって受ける過度な揺動や翻りを防ぐことができる。
【発明の効果】
【０００７】
（請求項１）本発明に係る着雪防止型道路交通標識具によれば、表示板の板面は標識用面となっており、支持体は板材を山形に屈曲したもので、該表示板を吊支するための該吊支部と、該吊支部を該吊支部から吊支された該表示板を設置面上に浮上させて支持する支板部を備えており、該支板部に標識形透視穴を開設したので、表示板は直接降雪に曝されることはなく、運転者は該支板部の該標識形透視穴を通して該標識用面を見ることで、該穴の輪郭が表示する標識を明確に視認することができる。
また、該支持体の構成が簡単なので、収納時など積み重ねる等することによって収納スペースを最小限に抑えることができる。
【０００８】
請求項２によれば、該表示板が風力による振動を受けやすくなって更なる滑雪効果が期待でき、該表示板の風による板面と平行方向への大幅な振動を防止でき、車両運転者の誤認防止効果に繋がる。
なお、該標識形透視穴の表示内容は、該表示板の板面を高輝度タイプの塗料等で塗装すれば、夜間や悪天候時の車両運転者の誤認防止効果が得られる。
【発明を実施するための最良の形態】
【０００９】
図１は本発明に係る着雪防止型道路交通標識具の具体例を示す斜面図である。
【００１０】
（請求項１）本発明に係る着雪防止型道路交通標識具は、表示板５と支持体６から構成されている。表示板５はその板面が標識用面５１となっている。即ち、それ自体では標識とならないが、板面を覆ってその一部が穴を通して外部から見えるようにすると、この穴の輪郭形状が標識となる。支持体５は板材を山形に屈曲したもので、表示板５を吊支するための吊支部５２と、この吊支部５２を、表示板５を設置面Ｇ上に浮上させて支持する支板部５３を備えている。そしてこの支板部５３に標識形透視穴５４を開設してある。この支持体６の屈曲部を吊支部５２とし、この吊支部５２からフックだけまたはフックと吊索より成る吊支具４を用いて一枚板から成る表示板５を吊支し、標識形透視穴５４を通して表示板５面上の標識用面５１を視認するような構成になっている。表示板５は、高輝度タイプの塗料等で塗装されてもよい。
【００１１】
（請求項２）表示板５は一枚板から成っており、上両端部を吊支部５２から吊支具４を介して吊り下げるようになっている。この場合、表示板５は、風による板面と平行方向への大幅な振動を防止され、標識の安定した視認が可能となる。
【００１２】
表示板５を、規制部材３で支持体６に係止すると、表示板１が風力によって受ける過度な振動を防ぐことができる。
【図面の簡単な説明】
【００１３】
【図１】本発明に係る着雪防止型道路交通標識具の具体例を示す斜面図である。
【符号の説明】
【００１４】
３        規制部材
４        吊支具
５        表示板
６        支持体
５１      標識用面
５２      吊支部
５３      支板部
５４      標識形透視穴
Ｇ        設置面
【図１】
0005179248.tif 000002
(57)【特許請求の範囲】
【請求項１】
２列に配置された搬送チェーンを有するコンベアと、前記搬送チェーンの間に配置された支持部材によって前記搬送チェーンの間に支持された架台と、前記架台の下に配置された装置とを有する設備において前記装置を保守する保守方法であって、
昇降機を有する作業補助機を前記架台が配置されている第１位置まで前記コンベアで搬送し、
前記作業補助機の前記昇降機によって前記架台を持ち上げ、
前記作業補助機を前記第１位置とは異なる第２位置まで前記コンベアで搬送し、
前記架台の移動によって形成された開口を利用して前記装置を保守し、
前記作業補助機を前記第２位置から前記第１位置まで前記コンベアで搬送し、
前記作業補助機の前記昇降機によって前記架台を元の位置まで降ろす、
ことを特徴とする保守方法。
【発明の詳細な説明】
【技術分野】
【０００１】
本発明は、保守方法に係り、特に、２列に配置された搬送チェーンを有するコンベアと、該搬送チェーンの間に配置された架台と、該架台の下に配置された装置とを有する設備において該装置を保守する保守方法に関する。
【背景技術】
【０００２】
比較的大きな物品を搬送するコンベアでは、２列に配置された搬送チェーンの間に、作業者が移動したりコンベアを保守したりするために、架台が配置されうる。このような構成では、架台の下に配置された装置を保守する場合にその架台を移動させて装置へのアクセス用の開口を形成する必要がある。
【特許文献１】特開平７−２３２８０１号公報
【発明の開示】
【発明が解決しようとする課題】
【０００３】
大型の架台が備えられた設備では、架台を移動させる作業を複数人で行う必要があったし、架台を落下させてしまう危険性もあった。
【０００４】
本発明は、上記の課題に鑑みてなされたものであり、搬送チェーンの間に配置された架台を有する設備において、架台の下に配置された装置の保守を安全かつ簡単に行うための方法を提供することを目的とする。
【課題を解決するための手段】
【０００５】
本発明は、２列に配置された搬送チェーンを有するコンベアと、前記搬送チェーンの間に配置された支持部材によって前記搬送チェーンの間に支持された架台と、前記架台の下に配置された装置とを有する設備において前記装置を保守する保守方法に関し、前記保守方法は、昇降機を有する作業補助機を前記架台が配置されている第１位置まで前記コンベアで搬送し、前記作業補助機の前記昇降機によって前記架台を持ち上げ、前記作業補助機を前記第１位置とは異なる第２位置まで前記コンベアで搬送し、前記架台の移動によって形成された開口を利用して前記装置を保守し、前記作業補助機を前記第２位置から前記第１位置まで前記コンベアで搬送し、前記作業補助機の前記昇降機によって前記架台を元の位置まで降ろす、ことを特徴とする。
【発明の効果】
【０００６】
本発明の保守方法によれば、搬送チェーンの間に配置された架台を有する設備において、架台の下に配置された装置の保守を安全かつ簡単に行うことができる。
【発明を実施するための最良の形態】
【０００７】
以下、添付図面を参照しながら本発明の好適な実施形態を説明する。
【０００８】
図１は、本発明の好適な実施形態の保守方法が実施される設備の構成を例示的に示す図である。設備１００は、例えば、物品等を保管するための自動倉庫として構成されうる。自動倉庫では、物品を所定の場所に保管したり、それを取り出したりする。設備１００は、２列に配置された搬送チェーン１２、１４を有するコンベア１０と、搬送チェーン１２、１４の間に配置された架台２２、２４、２６、２８、３０と、架台２６の下に配置された装置４０とを有する。架台２２、２４、２６、２８、３０は、例えば、支持部材３２によって支持されうる。架台２２、２４、２６、２８、３０は、作業者が移動したり、コンベア１０又はその周辺の装置を保守したりするための作業用の足場として使用されうる。
【０００９】
設備１００には、作業補助機５０が備えられている。作業補助機５０は、例えば、搬送チェーン１２、１４の上に載る下部枠５２、５４と、下部枠５２、５４に連結された支持枠５６と、支持枠５６に取り付けられた昇降機５８とを有し、コンベア１０によって搬送可能に構成されている。昇降機５８は、例えば、ホイストを含み、手動又は自動で架台を昇降するように構成されうる。図２に示す例では、架台２６が４本の鎖６０で吊り上げられている。
【００１０】
本発明の好適な実施形態は、上記のように構成された設備１００において装置４０を保守する保守方法を提供する。ここでは、架台２２、２４、２６、２８、３０のうち架台２６の下に位置する装置４０を保守するものとする。本発明の好適な実施形態の保守方法は、作業補助機５０を架台２６が配置されている第１位置Ａまでコンベア１０で搬送し、次いで、作業補助機５０の昇降機５８によって架台２６を持ち上げ、次いで、図２に示すように、作業補助機５０を第１位置Ａとは異なる第２位置Ｂまでコンベア１０で搬送し、次いで、架台２６の移動によって形成された開口７０を利用して装置４０を保守し、次いで、作業補助機５０を第２位置Ｂから第１位置Ａまでコンベア１０で搬送し、次いで、作業補助機５０の昇降機５８によって架台２６を元の位置（即ち、支持部材３２の上）まで降ろす。
【００１１】
ここで、作業補助機５０の搬送は、典型的には、コンベア１０の自動制御システムによって制御される。自動制御システムは、例えば、装置４０の保守時は、装置４０の上に配置された架台２６を第２位置Ｂに移動させ、装置４０の保守の終了後に架台２６を第２位置Ｂから第１位置Ａに移動させるようにプログラムされうる。
【００１２】
本発明の好適な実施形態によれば、コンベア１０によって搬送可能な作業補助機５０の昇降機５８によって架台を吊り上げて、その状態でコンベア１０によって作業補助機５０を搬送する。これによって架台が移動して保守対象の装置を保守するための開口が形成される。よって、架台を落下させる可能性が最小化されるとともに、架台の移動のための作業を一人又は少人数で簡単に行うことができる。
【図面の簡単な説明】
【００１３】
【図１】本発明の好適な実施形態の保守方法が実施される設備の構成を例示的に示す図である。
【図２】本発明の好適な実施形態の保守方法が実施される設備の構成を例示的に示す図である。
【符号の説明】
【００１４】
１０  コンベア
１２、１４  搬送チェーン
２２、２４、２６、２８、３０  架台
３２  支持部材
４０  装置
５０  作業補助機
５２、５４  下部枠
５６  支持枠
５８  昇降機
６０  鎖
７０  開口
Ａ  第１位置
Ｂ  第２位置
１００  設備
【図１】
0005242961.tif 000002
【図２】
0005242961.tif 000003
(57)【特許請求の範囲】
【請求項１】
変形自在な金属線材（２）を合成樹脂で被覆して棒材（４）を形成し、複数の該棒材（４）を平面的に並列した姿勢で中央部で相互に連結したことを特徴とする雑貨品収納・保持具。
【発明の詳細な説明】
【技術分野】
【０００１】
本発明は、アクセサリー、時計、眼鏡等を乗載したり、吊り下げたりする雑貨品収納・保持具に関する。
【背景技術】
【０００２】
アクセサリー、時計、眼鏡等を乗載するものとして、トレイ形状、容器形状のものが多数存する。しかしながら単純な形態では面白味に欠け、トレイ形状なり容器形状に限定され、変化に乏しいものであった。
【０００３】
例えば「アクセサリー保持具」として以下の如き考案の提案がある。
【特許文献１】実開平５−９３６２号公報
【発明の開示】
【発明が解決しようとする課題】
【０００４】
上記文献１は、主として商品陳列用のものであり、不使用時には分解して保管することができ、アクセサリー品の種類に応じて「薄板保持板」を交換するようになっている。
【０００５】
しかしながら、ここでは、例えばピアス、イアリング、ペンダント、輪ピアス、指輪等に応じて、夫々の形状に合致した「薄板保持板」を用意しなければならず、しかも全体形態を大きく変動させるものではない。
【０００６】
よって本発明は、上述した従来技術の欠点、不都合、不満を解消するべく開発された雑貨品収納・保持具であって、平面的、立体的に様々な形態に変貌させながらも、各種の雑貨品等を収納・保持することができるようにすることを目的とする。
【課題を解決するための手段】
【０００７】
上記課題を解決するため、本発明の雑貨品収納・保持具は、変形自在な金属線材を合成樹脂で被覆して棒材を形成し、複数の該棒材を平面的に並列した姿勢で中央部で相互に連結したことを特徴とする構成である。
【発明の効果】
【０００８】
従って本発明では、複数の棒材を平面的に並列し且つ一部で相互に連結した単純な原形ではトレイ形状として、雑貨品等を乗載保持させることができ、その場合、棒材は心材が変形自在な金属線材であるので、両端部を上方に反り返させることにより、受け皿体としての形状が安定する。
【０００９】
また、複数の棒材の各一方端部を折り曲げることにより全体として立脚姿勢にさせることができ、全体にネックレスを引っ掛け保持させたり、個々の棒材に指輪を嵌め込み保持させたりすることもできる。
【００１０】
即ち本発明は、単に平面的な形態ではトレイとして使用できるばかりでなく、非使用状態では嵩張らず、形状を様々な形態に簡単に折り曲げることができるので、デザイン的にも機能的にも多種のバリエーションが得られる等、多くの優れた作用効果を奏する。
【発明を実施するための最良の形態】
【００１１】
本発明の雑貨品収納・保持具１は、変形自在なステンレス等の金属線材２を合成樹脂カバー３で被覆して棒材４を形成し、複数のこの棒材４を平面的に並列した姿勢で中央部で相互に連結部５により連結した構成である。
【実施例１】
【００１２】
図１は雑貨品収納・保持具１の平面的な形態の原形であって、非使用状態では嵩張らずに保管することができるが、またこのままの状態で所定の雑貨品等を乗載保持することもできる。
【実施例２】
【００１３】
図３は雑貨品収納・保持具１の両端部を上方に反り返させ且つ各棒材４間を広げて受け皿体形態に変形させたもので、平面的な中央部４ａに小銭入れＡや時計Ｂを乗載し、或いは広がった棒材４ｂ間に定期入れＣを挟持させることができる。
【実施例３】
【００１４】
図４は雑貨品収納・保持具１に於ける棒材４を五本で構成し、左右二本ずつの棒材４の各両端部を下方に折り曲げて脚４ｃを形成すると共に、中央の一本の棒材４の一方端部を上方に折り曲げて首４ｄに、他方端部を上方に折り曲げてと尻尾４ｅを形成し、中央部を平面的な背４ｆの部分にして動物の「馬」に見立てて変形したものである。ここでは、首４ｄの部分にキーホルダーＤを掛けたり、馬の背である中央部４ｆに小銭入れＡを乗載させることができる。
【実施例４】
【００１５】
図５は雑貨品収納・保持具１に於ける一方端部をほぼ直角に折り曲げて脚台４ｇを形成して全体として立脚できるようにし、ネックレスＥを引っ掛けたり、指輪Ｆを棒材４に嵌め込み保持できるようにしてある。
【実施例５】
【００１６】
図６は雑貨品収納・保持具１に於ける一方端部をほぼ直角に前後方向に折り曲げて脚台４ｇを形成して全体として立脚できるようにし、眼鏡Ｇを引っ掛けたり乗載保持できるようにしてある。
【図面の簡単な説明】
【００１７】
【図１】本発明にかかる雑貨品収納・保持具の扁平状態の斜視図である。
【図２】中央部分に於ける幅方向に沿った断面図である。
【図３】雑貨品収納・保持具変形形態の一例を示す斜視図である。
【図４】雑貨品収納・保持具変形形態の他の一例を示す斜視図である。
【図５】雑貨品収納・保持具変形形態の他の一例を示す斜視図である。
【図６】雑貨品収納・保持具変形形態の他の一例を示す斜視図である。
【符号の説明】
【００１８】
１    雑貨品収納・保持具
２    金属線材
３    合成樹脂カバー
４    棒材
５    連結部
【図１】
0005222527.tif 000002
【図２】
0005222527.tif 000003
【図３】
0005222527.tif 000004
【図４】
0005222527.tif 000005
【図５】
0005222527.tif 000006
【図６】
0005222527.tif 000007
(57)【特許請求の範囲】
【請求項１】
雨樋の流入出管が一方にそれぞれ上下に接続され、他方に排出口がもうけられ、前記排出口より下は沈殿槽となり、前記一方と、前記他方との間の内部にろ過層壁が設けられる、本体と、前記雨樋の流出管の接続部に開閉可能な雨樋遮断板を備えることを特徴とする雨樋遮断ろ過装置。
【請求項２】
前記沈殿槽は前記ろ過層壁によるろ過前の沈殿槽と、前記ろ過層壁によるろ過後の沈殿槽をもつことを特徴とする請求項１に記載の雨樋遮断ろ過装置。
【請求項３】
前記雨樋の流入管を貫通する上蓋をもうけ、前記上蓋を回して前記ろ過層壁を出し入れ出来ることを特徴とする請求項１又は２に記載の雨樋遮断ろ過装置。
【請求項４】
前記本体に前記ろ過層壁のガイドを設けたことを特徴とする請求項１ないし３のいずれか１項に記載の雨樋遮断ろ過装置。
【発明の詳細な説明】
【技術分野】
【０００１】本発明は、一般家庭等の雨水ろ過装置を製作、設置して、生活用水の貯留に関するものです。
【背景技術】
【０００２】従来の雨水ろ過装置は決められた構造で一定のもので、任意に調節が出来ないうえ生活用水には難があった。
【発明の開示】
【発明が解決しようとする課題】
【０００３】現状の雨水を貯留する装置は、農作物の給水、家庭菜園、庭木の散水などが目的で水質の信頼性、水量ともに充足したものではなく、常時防災用水の備蓄、生活支援用水には適さない。
【課題を解決するための手段】
【０００４】ろ過装置にきれいな水を任意で取り込む、小雨や降り始めで屋根、樋の汚れは十分洗い流した後に、雨樋を遮断板で閉め、ろ過、貯留を開始するものである。【０００５】雨水遮断ろ過装置内は、太い塩ビ管の片側を雨樋として役だて、反対側に、ろ過層璧を配し、ろ過層には８ｍｍ角２ｍｍ角のネット板、不織布ポリエステルの三種類を組み合わせ、１セットにした。【０００６】下部ろ過層のごみや沈殿物は、遮断版を開き一雨ごとに沈殿物を流し、ろ過層内に水は残さない。
【発明の効果】
【０００７】雨の降り始めは、屋根や樋の粉塵を十分洗い流された頃に、開閉板を閉め溢れた水は、ろ過層を浸透し、きれいな水を１００％貯留できる。雨が降り終ったら開閉板を開け、ろ過層内の水で、沈殿物やごみなどを洗い流す。通常を開放にして小雨時の大気中の汚染された水の流入を防ぐことが出来る。
【発明を実施するための最良の形態】
【実施例】
【０００８】雨水遮断ろ過装置のろ過層壁は上蓋を外して、抜き出して清掃、交換が出来るので大型貯水タンクを設置して、トイレ、洗濯、風呂等の生活用水に永続的に使うことが出来る
【産業上の利用可能性】
【０００９】  雨樋遮断ろ過装置で簡便にして能率よく貯留出来る事から工業用水確保と利用することで、タンク内の循環、活性化が促進され、長期備蓄が可能である。【００１０】  集積縦樋の太さに合わせ、ろ過装置を大型にすることで、中小企業の工業用水は十分確保出来る、経済効果のみならず、地域水害対策に大きく貢献すると供に雨水リサイクル産業の発展は、地球を救う時代に備えるものであると考える。
【図面の簡単な説明】
【００１１】
【図１】  本発明の側面図である。
【図２】  本発明の上蓋を外した上面図である。
【図３】  本発明の底部遮断板の上面図である。
【発明を実施するための形態】
【００１２】  以下、本発明の実施の形態について、図面を参照しつつ詳細に説明すれば、
図１は本発明の実施例を示したものであり（１）は本体で雨樋遮断ろ過装置を示す、雨樋の太さの約３，３倍を要す塩ビ管を使用。（２）は雨樋で雨水の浸入口（３）はろ過層壁で８ｍｍ角のネット板、２ｍｍ角のネット板、不織布ポリエステルの三種類を組み合わせ、ろ過層壁を構成した。（４）はろ過層壁ガイド（５）は沈殿槽（６）は雨樋遮断板（７）雨樋遮断板ガイド（８）は排出貯留タンクへ。
図２は上蓋をうえに上げ半回転した上面図で３のろ過層壁は４のガイドにより取り付け、取り外しが簡単にできる。
図３は遮断板部分の上面図で６は遮断板でアクリル板、三枚構成で中の１枚が外側取っ手で操作、７のガイドにより安定した操作が出来る。
【符号の説明】
【００１３】  １    雨樋遮断ろ過装置本体
２    雨樋
３    ろ過層壁
４    ろ過層壁ガイド
５    沈殿槽
６    雨樋遮断板
７    雨樋遮断板ガイド
８    排出口
【図１】
0005135502.tif 000002
【図２】
0005135502.tif 000003
【図３】
0005135502.tif 000004